(57)【要約】【課題】  釣り用の重りに糸を挟み込むための溝を設けることができる挟持用工具を提供する。【解決手段】相対向する挟持面２ｃ、２ｃ’を有する挟持部１ｃ、１ｃ’を備え、挟持部は、回転軸３を中心として開閉自在に取り付けられていることにより、挟持面によって物を挟むことができるようにされているプライヤー３０であって、挟持部１ｃ’の側面には、他方の挟持部１ｃの方に向かって突出する突出部１１、１２が設けられており、突出部は、他方の挟持部１ｃの挟持面とは接触しないようされている。【選択図】  図１
2008162013.tif 000002
【特許請求の範囲】
【請求項１】
相対向する挟持面を有する挟持部を備え、
前記挟持部は、回転軸を中心として開閉自在に取り付けられることにより、前記挟持面によって物を挟むことができるようにされている挟持用工具であって、
前記挟持部の側面には、他方の前記挟持部の方に向かって突出する突出部が設けられており、
前記突出部は、他方の前記挟持部の前記挟持面とは接触しないようされていることを特徴とする挟持用工具。
【請求項２】
前記突出部は、複数設けられており、
複数設けられた前記突出部は、それぞれ異なる大きさで形成されていることを特徴とする請求項１に記載の挟持用工具。
【請求項３】
前記突出部は、先端に向かって凸となるような三角形であることを特徴とする請求項１又は２に記載の挟持用工具。
【発明の詳細な説明】
【技術分野】
【０００１】
本発明は、挟持用工具に関する。
【背景技術】
【０００２】
魚釣り用の針や重り等を挟み込むために、相対向する挟持面を有する挟持部を備える挟持用工具が使用されているが、この挟持用工具は、挟持部同士を回転軸を中心として開閉自在に取り付けることにより、挟持部に形成された挟持面によって物を挟むことができるようにされていた。
【発明の開示】
【発明が解決しようとする課題】
【０００３】
しかしながら、従来の挟持用工具では、物を挟み込むことはできるが、釣り用の重り等に糸を挟み込むための溝を設けることはできなかった。すなわち、釣り用重りの割り口が一度閉じてしまうと、割り口を開くことは容易ではなかった。
【０００４】
そこで、本発明は、釣り用重りの割り口が一度閉じてしまっても、割り口を容易に開くことができる挟持用工具を提供することを目的とする。
【課題を解決するための手段】
【０００５】
以上の課題を解決するため、本発明は、本発明は相対向する挟持面を有する挟持部を備え、前記挟持部は、回転軸を中心として開閉自在に取り付けられていることにより、前記挟持面によって物を挟むことができるようにされている挟持用工具であって、前記挟持部の側面には、他方の前記挟持部の方に向かって突出する突出部が設けられており、前記突出部は、他方の前記挟持部の前記挟持面とは接触しないようされていることを特徴とする挟持用工具を提供する。
【０００６】
このような突出部を設けておくことにより、例えば、鉛でできた重りにこの突出部を押し付けることにより、釣り糸を挟み込むための溝を設けることが可能となる。
【０００７】
なお、突出部は挟持部の側面に設けるが、挟持面の間に物を挟み込む関係上、この突出部は、挟持部を閉じた場合に対向している挟持面とは接触しないように設けておく必要がある。
【０００８】
また、このような突出部を複数設け、これらの突出部をそれぞれ異なる大きさで形成することにより、例えば、異なる大きさの鉛に釣り糸を挟み込むための溝を設けることができる。
【０００９】
なお、挟持面の傾斜と突出部を双方備えておくことにより、例えば、丸形の割り重りを容易に挟み込むことが可能となり、また、一度割り口を閉じた割り重りの口を再び開く際に、この割り口に突出部を押し込むことにより、容易に割り重りの口を開くことができるようになる。
【発明の効果】
【００１０】
以上のように、本発明によれば、挟持面に設けられた突出部により、細かい物を挟み込むことができるほか、挟み込んだ物が中心軸の方向に入り込んでしまうことを防止することができる。
【００１１】
さらに、挟持部に設けられた突出部を使用して、一度閉じた割り重りの割り口を開くことができるようになる。
【発明を実施するための最良の形態】
【００１２】
図１は、本発明の第一の実施形態に係るプライヤー３０の挟持部１ｃ、１ｃ’を開いた場合の正面図であり、図２は、本発明の第二の実施形態に係るプライヤー３０の挟持部１ｃ、１ｃ’を閉じた場合の図２のＸ−Ｘ’線における断面図である。
【００１３】
本実施形態に係るプライヤー３０は、相対向する挟持面２ｃ、２ｃ’を有する挟持部１ｃ、１ｃ’が回転軸３を用いて連結され、ハンドル部４、４’を開閉することにより、挟持部１ｃ、１ｃ’も開閉させることができるようにされている。
【００１４】
そして、挟持部１ａ、１ａ’を開閉させることにより、相対向している挟持面２ａ、２ａ’で、物を挟むことができるようにされている。
【００１５】
本実施形態においては、図２に示すように、挟持面２ｃ、２ｃ’は、全面的に相対向するわけではなく、双方の端部において、部分的にのみ対向している。
【００１６】
そして、挟持部１ｃ、１ｃ’を開閉させることにより、相対向している挟持面２ｃ、２ｃ’で、物を挟むことができるようにされている。
【００１７】
ここで、本実施形態では、一方の挟持部（１ｃ’の方）の側面から、他方の挟持面（１ｃの方）に向かって、第一の突出部１１と第二の突出部１２が設けられている。
【００１８】
本実施形態では、第一の突出部１１と第二の突出部１２を一方の挟持部（１ｃ’の方）の側面に設けられているが、この第一の突出部１１及び第二の突出部１２をいずれの挟持部１ｃ、１ｃ’に設けるかは、適時選択することができる物であり、両方の挟持部１ｃ、１ｃ’に設けることも可能である。
【００１９】
また、プライヤー３０が挟持部１ｃ、１ｃ’の開閉動作により挟持面２ｃ、２ｃ’で物を挟み込む関係上、この第一の突出部１１と第二の突出部１２が挟持面２ｃ、２ｃ’と接触しないように設ける必要がある。
【００２０】
このため、第一の突出部１１及び第二の突出部１２は、挟持部１ｃ、１ｃ’を閉じたときに、その側面が挟持部１ｃの側面１ｄに当接するように配置されている。
【００２１】
このような第一の突出部１１と第二の突出部１２を設けたので、例えば、図３に示すように、第一の突出部１１を一度閉じた割り重り１３の割り口に当てて、挟持部１ｃ、１ｃ’を回転軸３を中心として閉じることにより、一度閉じた割り重り１３の割り口を容易に開くことができるようになる。
【００２２】
なお、この突出部の数、大きさ及び位置は、この第一の突出部１１及び第二の突出部１２を用いて開こうとする割り重り１３の割り口の大きさ等を考慮して、適時選択することができる。
【００２３】
また、上述の実施形態においては、本発明に係る挟持用工具の一例としてプライヤーを挙げたが、本発明の適用例はプライヤーに限定されるものではない。
【００２４】
例えば、ペンチ、ハサミ、ニッパ、その他、物を挟み、或いは、切断するような工具であれば、本発明の適用の対象とすることができる。
【図面の簡単な説明】
【００２５】
【図１】第一の実施形態に係るプライヤーの正面図である。
【図２】第一の実施形態に係るプライヤーの断面図である。
【図３】第一の実施形態に係るプライヤーの正面図である。
【符号の説明】
【００２６】
１ｃ  挟持部
２ｃ  挟持面
３  中心軸
４  ハンドル部
１１  第一の突出部
１２  第二の突出部
３０  第二の実施形態に係るプライヤー
【図１】
2008162013.tif 000003
【図２】
2008162013.tif 000004
【図３】
2008162013.tif 000005